(57)【要約】【課題】分析システムの情報片を可聴出力するための方法を提供すること。【解決手段】本発明は、信号発生装置が情報片を可聴出力するように、信号発生装置が分析システム内に配置され、分析システムが検査エレメントを使用して流体試料を分析し、分析結果がデータ処理部によって生成され処理され、分析システム内の制御装置部が信号発生装置を作動させる、可聴信号発生装置によって情報片を可聴出力するための方法に関し、信号発生装置の動作性を検査するために信号発生装置が可聴検査信号を送信する。【選択図】なし【特許請求の範囲】
【請求項１】
可聴信号発生装置によって情報片を可聴出力するための方法であって、前記信号発生装置が情報片を可聴出力するように、前記信号発生装置が分析システム内に配置され、前記分析システムが試験エレメントを使用して流体試料を分析し、分析結果がデータ処理部によって生成され処理され、前記分析システム内の制御装置部が前記信号発生装置を作動させる方法であって、前記信号発生装置の動作性を検査するために前記信号発生装置が可聴検査信号を送信することを特徴とする方法。
【請求項２】
前記信号発生装置がトーンまたはトーンの連続を含む可聴検査信号を送ることを特徴とし、前記トーンまたはトーンの連続が基本的に一定の周波数を有し、または前記トーンまたはトーンの連続が変化する周波数を有する、請求項1に記載の方法。
【請求項３】
前記信号発生装置がトーンの連続を含む可聴検査信号を送ることを特徴とし、前記トーンの少なくとも一部が異なるトーン長さを有し、または前記トーンがほぼ同じトーン長さを有する、請求項1または2のいずれかに記載の方法。
【請求項４】
前記信号発生装置が、トーンまたはトーンの連続を含む可聴検査信号を送ることを特徴とし、前記トーンまたはトーンの連続の音量が変化し、あるいは前記トーンまたはトーンの連続がほぼ同じ音量を有する、請求項1から3のいずれか1項に記載の方法。
【請求項５】
前記信号発生装置が、前記分析システムが起動する開始時に前記検査信号を送ることを特徴とする、請求項1から4のいずれか1項に記載の方法。
【請求項６】
前記可聴信号発生装置が、少なくとも1桁の数として表すことができる情報片を可聴にエンコードすることを特徴とする、請求項1から5のいずれか1項に記載の方法。
【請求項７】
前記可聴信号発生装置が、情報片をトーンの連続として可聴にエンコードすることを特徴とし、前記トーンの数が情報片を表す、請求項1から6のいずれか1項に記載の方法。
【請求項８】
試験エレメントを使用して流体試料を分析するための分析システムであって、情報片を可聴出力するための可聴信号発生装置、分析結果を生成するための分析装置、前記分析結果を処理するためのデータ処理部、および制御装置部を含み、前記信号発生装置の動作性を検査するために前記信号発生装置が可聴検査信号を送ることを前記制御装置部に作動させるように設計されていることを特徴とする、分析システム。
【請求項９】
前記分析システムが、試験エレメントが前記分析システム内に押し込まれることによって作動されるスイッチを含むことを特徴とし、前記スイッチが制御装置に接続されており、前記スイッチが作動されると前記制御装置が前記信号発生装置を作動させて可聴検査信号を送るようになっている、請求項8に記載の分析システム。
【請求項１０】
情報片を可聴に出力する目的で、試験エレメントを使用して試料を分析するための分析システム内に、可聴検査信号を送ることによって信号発生装置の動作性を確認するために配置されている、可聴信号発生装置の使用。
【発明の詳細な説明】
【技術分野】
【０００１】
本発明は、試験エレメントを使用して試料を分析するための分析システム内に配置されている可聴信号発生装置によって情報片を可聴出力するための方法に関し、可聴信号発生装置を有する分析システムに関する。
【背景技術】
【０００２】
例えば血液や尿などの体液の試料を分析するために、分析する試料を試験エレメント上に置き、分析する前に試験エレメント上の試験アレイ内で1つまたは複数の試薬と反応させることが可能である分析システムがよく使用される。試験エレメントの特に測光による光学評価、および電気化学評価は、試料の検体の濃度を迅速に測定するための最も一般的な方法である。測光評価および電気化学評価は一般に、化学分析分野、環境分析分野、および特に医療診断分野で使用される。特に毛細血管の血糖診断分野では、測光的または電気化学的に評価される試験エレメントは非常に重要視されている。
【０００３】
近年、血糖値を測定するための携帯型測定器が重要になってきている。これらによって、使用が容易な測定器、穿刺痛に最適化された穿刺補助装置および単回使用の試験エレメントを、血糖測定値を測定するためにいつでも使用することができ、したがって患者の血糖値を安定させるためにより正確なインスリン投薬を患者に行うことができる。
【０００４】
様々な形態の試験エレメントがある。例を挙げると、スライドとも呼ばれている、中心に多層の試験アレイがあるほぼ正方形の薄板が知られている。ストリップ状の診断試験エレメントは、ストリップと呼ばれている。試験エレメント上の試料供給点と検出領域の3次元分離のために、例えばWO99/29429号の従来技術による毛細管試験エレメントが知られている。
【０００５】
分析システム内で試験エレメントを使用して実施される試料分析によって、例えば確実な血糖値濃度などの分析結果が得られる。この分析結果は一般に、分析システム内の例えば液晶表示器上などの視覚表示パネル上に表示される。視覚障害や盲目を患うユーザには、可聴出力が追加的に供給される。
【０００６】
WO03/039362 A1号は、測定された濃度の結果および/または他の情報をプロセッサが制御装置に伝達する、試薬を使用しない全血血糖値測定器に関する。制御装置はユーザに情報を表示するための視覚表示パネルを動作させる。視覚表示パネルに加えて、またはそれの代わりに、情報の可聴出力を供給することができる。
【０００７】
WO02/062212 A1号は、治療推奨を患者に伝達する出力装置を含む、個人の健康状態のための管理システムに関する。出力装置は、例えば警告音発生装置、またはシステム表示器を使用するなど、可聴、可視、触感手段を使用して治療推奨を伝送することができる。
【０００８】
情報片は、一般に可聴信号発生装置または拡声器を使用して可聴出力される。
【０００９】
米国特許第4,014,016号は、情報が可聴信号によって伝送される、盲目の人のための出力システムに関する。これは例えば、計算結果の桁が周波数が同じでトーン数が異なる均等間隔のトーン連続を使用して出力される電卓の出力システムである。
【００１０】
DE25 50 614号は、復元可能な情報片を表す、エンコードされた電気出力信号を生成することによって可聴出力するための方法に関する。このエンコードされた電気出力信号を使用して、ほぼ同じ周波数で所定数の可聴トーンを生成し、これらのトーンの数が復元可能な情報片を表す。復元可能な情報片は、例えば可聴トーン数が10進法数と等しい、少なくとも1つの10進法数とすることができる。 
試験エレメントを使用して試料を分析するための分析システム内の可聴出力は、その動作性に関する特定の要求を満たす必要がある。ユーザの健康状態または生命さえも、分析の結果が可聴形態で正確に出力されることに依存することがある。例を挙げると、測定された血糖値によって糖尿病患者に投与するインスリン用量が決まる。
【特許文献１】WO99/29429号
【特許文献２】WO03/039362 A1号
【特許文献３】WO02/062212 A1号
【特許文献４】米国特許第4,014,016号
【特許文献５】DE25 50 614号
【発明の開示】
【発明が解決しようとする課題】
【００１１】
したがって本発明の目的は、試験エレメントを使用して試料を分析するための分析システム内の可聴信号発生装置による不正確な可聴出力を防ぎ、またはユーザがそれを認識できるようにすることである。
【課題を解決するための手段】
【００１２】
本発明は、信号発生装置が情報片を可聴出力するように、信号発生装置が分析システム内に配置され、分析システムが試験エレメントを使用して流体試料を分析し、分析結果がデータ処理部によって生成され処理され、分析システム内の制御装置部が信号発生装置を作動させる、可聴信号発生装置によって情報片を可聴出力するための方法を使用してこの目的を達成し、信号発生装置の動作性を検査するために信号発生装置が可聴検査信号を送信する。
【発明を実施するための最良の形態】
【００１３】
この文中の分析システムは、例えば血液、尿または間質流体などを分析するための、流体試料を分析するためのシステム、特に血糖値測定器である。分析システム内のデータ処理部は、試験エレメント上に配置された流体試料の分析において生成された分析結果を受け取り、それを処理する。例を挙げると、これは(測光的または電気化学的に)測定された分析結果を入手し、流体試料の検体の濃度を計算する。分析システム内に含まれる制御装置部は、信号発生装置がとりわけ、例えばデータ処理部により処理された分析結果が流体試料の分析によって得られた情報を出力するように使用されるものであるとき、信号発生装置を作動する。
【００１４】
分析システム内に設けられた可聴信号発生装置は、当業者には良く知られた、例えばブザー、拡声器または圧電信号発生装置など、どのような可聴信号発生装置とすることもできる。
【００１５】
出力される情報は、例えば分析システムの動作状態、または分析結果に関する情報片とすることができる。
【００１６】
本発明によれば、分析システム内の信号発生装置は、信号発生装置の動作性を検査するために可聴検査信号を送る。次いで分析システムのユーザは、可聴検査信号が正確かどうか認識することができる。可聴信号発生装置が信号発生装置によって正確に送られていない場合、可聴信号発生装置によって出力された情報片も同様に不正確であると考えることができる。
【００１７】
本発明はまた、情報片を可聴出力するための可聴信号発生装置、分析結果を生成するための分析装置、分析結果を処理するためのデータ処理部および制御装置部を含む、試験エレメントを使用して流体試料を分析するための分析システムに関し、制御装置部は、信号発生装置の動作性を検査するために信号発生装置が可聴検査信号を送ることを作動させるように設計されている。
【００１８】
本発明の分析システムの好ましい一実施形態によれば、分析システムは、試験エレメントが分析システム内に押し込まれ、または挿入されることによって作動されるスイッチを含み、スイッチは制御装置に接続されており、スイッチが作動されると制御装置が信号発生装置を作動させて可聴検査信号を送るようになっている。この場合、流体試料を分析する前に、試験エレメントを分析システム内に、流体試料を試験エレメント上に保持するための試料保持位置および/または測定を実施し分析結果を生成するための測定位置へと手動または自動で押し込み、または挿入する必要がある。
【００１９】
ただし、分析システムのユーザが分析システム上の特定のボタン(例えば分析システムをオンにするボタン)を押すとすぐに、または分析システムの動作中に少なくとも1つの特定の瞬間に自動的に、可聴検査信号を送ることもできる。
【００２０】
本発明の分析システムの好ましい一実施形態によれば、信号発生装置はトーンまたはトーンの連続を含む可聴検査信号を送り、トーンまたはトーンの連続は基本的に一定の周波数を有し、またはトーンまたはトーンの連続は変化する周波数を有する。トーンの連続は、個々のトーンが互いに結合され、またはトーン間のポーズによって少なくともある程度中断されるように送ることができる。
【００２１】
さらに、本発明の方法による信号発生装置はトーンの連続を含む可聴検査信号を送ることができ、トーンの少なくとも一部が異なるトーン長さを含み、またはトーンがほぼ同じトーン長さを含む。
【００２２】
本発明によれば、可聴信号発生装置はまた、トーンまたはトーンの連続を含む可聴検査信号を送ることもでき、トーンまたはトーンの連続の音量は変化し、あるいはトーンまたはトーンの連続はほぼ同じ音量を含む。
【００２３】
特にトーン周波数、トーン長さ、トーン音量、ならびに周波数および音量の変化に関して、可聴検査信号は、情報片を出力するために分析システムの正常動作中に信号発生装置によって送られる可聴信号が有することのできる、可能な限り多くの特徴を有する。情報片を出力するためのこの種類の可聴信号が、単にほぼ同じ周波数、長さ、音量を有するトーンの連続を含み、個々のトーンがポーズによって中断される場合、検査信号は故障を確実に検出することができるものと少なくとも同じ特徴を有する。さらに検査信号は、正しい検査信号とそこからの何らかの逸脱を、可能な限りユーザが簡単に認識できるように設計される。
【００２４】
本発明の分析システムの好ましい一実施形態によれば、信号発生装置は分析システムが起動する開始時に検査信号を送る。あるいは、信号発生装置は分析システムの動作中の何らかの他の瞬間に、該または少なくとも1つの別の検査信号を送ることができる。検査信号を分析システムが起動する開始時に送ることの利点は、ユーザが分析システム内の可聴信号発生装置の故障をちょうど開始時に検出した場合、ユーザは分析の実施を止めることができることである。このことは、例を挙げると、痛みのある無用な血液試料の採取、または可聴信号発生装置内の故障のために使用することができない、分析システムを使用する分析のための無駄な試験エレメントを回避することができることを意味する。あるいは、不正確な検査信号を認識するとき、この種類の視覚表示器が利用可能である場合、ユーザは視覚表示器から情報を読み取るように、視覚が障害されていない監督者に要求することができる。
【００２５】
検査信号を分析システムが起動するちょうど開始時に送ることは、例えば分析システムがオンになる、または試験エレメントが分析システム内へ自動的にまたはユーザによってと押し込まれることによって作動させることができる。信号発生装置の動作性は、可聴検査信号を使用して、分析システム内の例えば液晶などの視覚表示器の動作性を確認すると同時に確認することができ、これは分析システムが使用できるようになるまでに別の遅延を受け入れる必要がないことを意味する。
【００２６】
本発明の分析システムの好ましい一実施形態によると、可聴信号発生装置は少なくとも1桁の数として表すことのできる情報片を可聴にエンコードする。例を挙げると、数は、試験エレメント上で分析される試料の検体の(分析システムを使用して確実になった)濃度、特に血中糖濃度とすることができる。数は1つまたは複数の桁を含むことができ、小数点後の位置を含むことが可能である。
【００２７】
それに加えて、またはそれの代わりに、可聴信号発生装置によってエンコードされた情報片は、分析システムの動作(例えば、分析システムがオンになったこと)の読み取りに関する情報片、またはユーザが行う特定動作(例えば、分析システムに組み込まれた穿刺補助装置に指を当てる瞬間、または分析のための試料を試験エレメントに移動した瞬間)に関する情報片を含むことができる。信号発生装置はまた、分析システム内で使用される消耗品(例えば、試験エレメント、試験エレメントマガジン、電池、ランセットまたはディスポーザブル)を置換または補充する必要性に関する情報片を可聴出力することもできる。
【００２８】
本発明の好ましい一実施形態によると、可聴信号発生装置は情報片をトーンの連続として可聴にエンコードし、トーンの数は情報片を表す。例を挙げると、多数の可聴出力トーンがそれぞれ数の各桁の桁の値に対応し、新しい桁の出力はそれぞれ、例えばより長いポーズまたは別の可聴信号によって表示されるように、数を可聴出力することができる。さらに、小数点および/または演算記号のために特定の可聴信号を供給することができる。
【００２９】
本発明はまた、情報片を可聴に出力する目的で、試験エレメントを使用して試料を分析するための分析システム内に、可聴検査信号を送ることによって信号発生装置の動作性を確認するために配置されている、可聴信号発生装置の使用に関する。
【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
可聴信号発生装置によって情報片を可聴出力するための方法であって、前記信号発生装置が情報片を可聴出力するように、前記信号発生装置が分析システム内に配置され、前記分析システムが試験エレメントを使用して流体試料を分析し、分析結果がデータ処理部によって生成され処理され、前記分析システム内の制御装置部が前記信号発生装置を作動させる方法であって、前記信号発生装置の動作性を検査するために前記信号発生装置が可聴検査信号を送信することを特徴とする方法。
【請求項２】
前記信号発生装置がトーンまたはトーンの連続を含む可聴検査信号を送ることを特徴とし、前記トーンまたはトーンの連続が基本的に一定の周波数を有し、または前記トーンまたはトーンの連続が変化する周波数を有するか、前記トーンの少なくとも一部が異なるトーン長さを有し、または前記トーンがほぼ同じトーン長さを有するか、前記トーンまたはトーンの連続の音量が変化し、あるいは前記トーンまたはトーンの連続がほぼ同じ音量を有する、請求項1に記載の方法。
【請求項３】
前記信号発生装置が、前記分析システムが起動する開始時に前記検査信号を送ることを特徴とする、請求項1または2に記載の方法。
【請求項４】
前記可聴信号発生装置が、少なくとも1桁の数として表すことができる情報片を可聴にエンコードするか、情報片をトーンの連続として可聴にエンコードすることを特徴とし、前記トーンの数が情報片を表す、ことを特徴とする、請求項1から3のいずれか1項に記載の方法。
【請求項５】
試験エレメントを使用して流体試料を分析するための分析システムであって、情報片を可聴出力するための可聴信号発生装置、分析結果を生成するための分析装置、前記分析結果を処理するためのデータ処理部、および制御装置部を含み、前記信号発生装置の動作性を検査するために前記信号発生装置が可聴検査信号を送ることを前記制御装置部に作動させるように設計されていることを特徴とする、分析システム。
【請求項６】
前記分析システムが、試験エレメントが前記分析システム内に押し込まれることによって作動されるスイッチを含むことを特徴とし、前記スイッチが制御装置に接続されており、前記スイッチが作動されると前記制御装置が前記信号発生装置を作動させて可聴検査信号を送るようになっている、請求項5に記載の分析システム。
【外国語明細書】
2007155732000001.pdf